(57)【要約】【課題】血液から、生物学的性質を有する少なくとも１種類の合成物を調製する方法を提供する。【解決手段】本発明の方法は、低大気圧（大気圧よりも低い圧力）下の閉チューブ内で行われ、それによって、取り扱いを介した合成物のバクテリア汚染を低減又は防止する。本方法は、以下の工程を所望の回数繰り返すことを含む。真空密封された第２真空容器を、分画に分離された血液を含む第１容器に接続された血液採取装置に接続する。所望の分画が移送されるまで待ち、そして第２容器を引き抜く。生物学的療法といった異なる医療用途のための異なる合成物を含む様々な第２容器を得ることができる。本発明の工程は、容器を開封することなく閉システム内で行うことができ、また、第１容器を、血液採取装置を導入する前に開封してもよい。【選択図】図１
2015186646.tif 000002
【特許請求の範囲】
【請求項１】
手持ち式の抽出装置が、
使用者の手によって把持されるケーシング（１）と、
前記ケーシング（１）によって担持され、選択的に流体連通になるように配置される第１針（２）及び第２針（４）と、
切替ユニット（３）と、
前記切替ユニット（３）を操作するボタン（３ａ）であって、前記前記ケーシング（１）を把持する手の指によって操作可能であるボタン（３ａ）と
を備え、
前記切替ユニット（３）は、前記ボタン（３ａ）の操作に応答して、前記第１針（２）と前記第２針（４）の間の前記流体連通を開閉する
ことを特徴とする手持ち式の抽出装置。
【請求項２】
前記第１針（２）が、前記ケーシング（１）から外向きに突出することを特徴とする請求項１に記載の手持ち式の抽出装置。
【請求項３】
前記ケーシング（１）が、収容領域（５）を備え、前記第２針（４）が、前記収容領域（５）の内側に突出することを特徴とする請求項１に記載の手持ち式の抽出装置。
【請求項４】
換気システムと、前記換気システムを前記第１容器に案内するための手段とを挿入できるようにする孔を備えることを特徴とする請求項１に記載の手持ち式の抽出装置。
【請求項５】
血液から少なくとも１種類の合成物を調製する方法において、以下の、
ｉ）使用者の手によって把持されるケーシング（１）と、
前記ケーシング（１）によって担持され、選択的に流体連通になるように配置される第１針（２）及び第２針（４）と、
切替ユニット（３）と、
前記切替ユニット（３）を操作するボタン（３ａ）であって、前記前記ケーシング（１）を把持する手の指によって操作可能であるボタン（３ａ）と
を備えた手持ち式の抽出装置であって、
前記切替ユニット（３）は、前記ボタン（３ａ）の操作に応答して、前記第１針（２）と前記第２針（４）の間の前記流体連通を開閉する、前記手持ち式の抽出装置を得る工程と、
ｉｉ）血液を、大気圧未満の圧力の第１密封容器に供給する工程と、
ｉｉｉ）前記血液を、前記第１密封容器内で、少なくとも、前記第１容器の底部分の赤血球の分画、前記赤血球の分画の上方の白血球及び血小板の分画、及びその上の、前記第１容器の上部に近づくにつれて低下する血小板濃度勾配を有する血漿分画に分離する工程と、
ｉｖ）前記手持ち式の抽出装置を把持し、前記第１針（２）を前記第１容器に含まれる最も高い位置の分画の略最上位まで挿入する工程と、
ｖ）真空密封され、前記第１容器の圧力よりも低い圧力を有する第２容器を前記抽出装置の第２針（４）に接続する工程、必要量の血漿、白血球及び血小板、並びに／又は赤血球が圧力差により前記第１針（２）及び前記第２針（４）を介して前記第１容器から前記第２容器に移送されるまで一定時間前記ボタン（３ａ）を押し、且つ、押し続ける工程、前記第２容器を取り外す工程、及び、更に抽出を行う場合には、前記第１針（２）が再び残りの分画の最上位に到達するように前記第１針（２）が導入される度合いを調節する工程を少なくとも１回行う工程と
を含むことを特徴とする方法。
【請求項６】
前記第１容器を、血液を分画に分離した後且つ前記第１針（２）を導入する前に、開封する請求項５に記載の血液から少なくとも１種類の合成物を調製する方法。
【請求項７】
全ての前記工程を、閉システムに従って行うことを特徴とする請求項５に記載の血液から少なくとも１種類の合成物を調製する方法。
【請求項８】
前記第１針（２）と一緒に、換気システムを前記第１容器に導入して、ろ過された空気を前記第１容器に吸入することを可能にするとともに、前記第１容器の圧力が前記第２容器の圧力よりも常に高くなることを確実にすることを特徴とする請求項７に記載の血液から少なくとも１種類の合成物を調製する方法。
【請求項９】
前記抽出装置が、前記第１容器が密封された状態を保つための隔壁を備えることを特徴とする請求項７に記載の血液から少なくとも１種類の合成物を調製する方法。
【請求項１０】
前記第１容器は、少なくとも１種類の抗凝固剤を含むことを特徴とする請求項５に記載の血液から少なくとも１種類の合成物を調製する方法。
【請求項１１】
前記第１容器は、抗凝固剤を含まないことを特徴とする請求項５に記載の血液から少なくとも１種類の合成物を調製する方法。
【請求項１２】
前記第２容器は、前記第１容器からの移送前から、又は、後の段階で加えられる、少なくとも１種類の凝固剤、プロコアグラント、活性化剤、又は任意の他の生体材料若しくは薬剤を含むことを特徴とする請求項５に記載の血液から少なくとも１種類の合成物を調製する方法。
【請求項１３】
前記第２容器は、少なくとも１種類の凝固促進剤を含むことを特徴とする請求項５に記
載の血液から少なくとも１種類の合成物を調製する方法。
【請求項１４】
沈降によって、前記血液を分画に分離することを特徴とする請求項５に記載の血液から
少なくとも１種類の合成物を調製する方法。
【請求項１５】
前記第１容器を遠心分離にかけることによって、前記血液を分画に分離することを特徴とする請求項５に記載の血液から少なくとも１種類の合成物を調製する方法。
【請求項１６】
前記第１容器を、１００〜９００Ｇの遠心分離速度で、３〜１２分間、遠心分離にかけることを特徴とする請求項１５に記載の血液から少なくとも１種類の合成物を調製する方法。
【請求項１７】
前記第１容器を、３００〜８００Ｇの遠心分離速度で、５〜９分間、遠心分離にかけることを特徴とする請求項１６に記載の血液から少なくとも１種類の合成物を調製する方法。
【発明の詳細な説明】
【技術分野】
【０００１】
本発明は、血液から、例えば細胞シグナルを豊富に含む合成物のような、少なくとも１種類の合成物を調製する方法に関する。また本発明は、該方法を実施する際に使用するための装置に関する。
【背景技術】
【０００２】
特許文献１には、血液から増殖因子を豊富に含む組成物を調製する方法が開示されている。この組成物は、様々な医療用途において、非常に興味深い且つ有益な生物学的性質を提供することが、時間をかけて示されてきている。この方法は、（複雑な施設や手術を必要とせずに）診療所で実施することができ、基本的に以下の工程を含む。まず、血液及び抗凝固剤を含むチューブを、一定時間、特定の速度及び温度で、遠心分離にかけて、血液を異なる分画に分離する。赤血球（下側の分画）の上方に位置する中間分画を抽出する（ここで該中間分画は、多血小板血漿である）。該血漿を第２チューブに移送する。ここで、該第２チューブには、凝固剤及び血漿活性化剤（血小板によって増殖因子が放出されるプロセスを開始させることが可能な薬剤）として働く塩化カルシウムを加えてもよい。用途に必要な粘稠度が得られるまで、血漿が活性化し凝固するのを一定時間待つ。この組成物は、（一般的にインプラント学や外傷学における）骨再生や、関節痛の治療、皮膚治療等といった様々な医療分野において使用され良好な結果を残している。それらのうちの幾つかは、当該特許文献１や米国特許出願第２００９／０３５３８２号に記載されている。
【０００３】
特許文献１に開示されている方法や、所望の生物学的性質を有する血液合成物を調製するための多くの他の周知の方法には、最終合成物が投与される患者に対して一定のリスクが伴う。つまり、ある段階において患者にバクテリア汚染に対する免疫が無いと、患者が感染してしまうリスクである。このバクテリア汚染の理由としては、幾つか考えられる。細菌を血管流に送り込む敗血症や、血管を穿刺する際に皮膚の消毒が不十分であること、該方法を行っている最中の血液やその後の合成物の取り扱いによるものなどである。取扱手順におけるバクテリア汚染のリスクに寄与する要因の１つが、特許文献１に開示の方法や他の方法が、開チューブ、すなわち閉じられておらず真空密封されていないチューブ内で行われるため、遠心分離された血漿や処理中に得られる合成物が周囲空気に触れてしまう（所謂「開回路」）ということである。
【０００４】
本発明は、血液から得られる、有用な生物学的性質を有する合成物を調製するための改良された手順を提供することを目指し、ここで、周知の手順に対する他の利点のなかでも、当該手順の最中における血液又はその後得られる他の物質の取扱による、最終合成物のバクテリア汚染のリスクを低減し、該最終合成物を、密封された滅菌容器に収容する。
【先行技術文献】
【特許文献】
【０００５】
【特許文献１】米国特許第６５６９２０４号明細書
【発明の概要】
【発明が解決しようとする課題】
【０００６】
本発明の目的は、血液から、有益な生物学的性質を有する少なくとも１種類の合成物を調製する方法を提供することであり、ここで該方法は、真空密封チューブ（すなわち、大気圧よりも低い内圧を有するチューブ）を使用する。本方法を行っている間のほとんど、好ましくはその間の全てにおいて、本発明で取り扱われる血漿又は他のいかなる合成物も、周囲空気に触れるのが防止される。本発明に係る方法によって、最終合成物又は複数の合成物の非汚染、及びそれらの最適な医学的・生物学的条件がより大幅に保証される。
【課題を解決するための手段】
【０００７】
本発明の方法は、一定量の血液を、（大気圧よりも低い圧力で）真空密封され任意で抗凝固剤を含む第１容器に配する工程と、血液を一連の分画（そのうちの１つが、血小板濃度勾配を有する血漿分画）に分離する工程と、抽出装置を、第１容器に含まれる最も高い位置の分画の最上位まで導入する工程と、（大気圧よりも低く且つ第１容器の圧力よりも低い圧力で）真空密封された第２容器を第１容器に接続して、必要量の血漿及び／又は他の分画が圧力差により第１容器から第２容器に移送されるまで一定時間待つ工程と、第２容器を取り外す工程とを含む。第２容器を接続して、一定時間待つこと及び第２容器を取り外すことを含む工程は、２つ以上の、それぞれがそれを使用する医療用途に特有の血小板濃度及び他の生物学的性質を有する合成物を含む、第２容器を得る目的のために、繰り返してもよい（抽出装置を挿入する深さが適切に調節されていることを確認する）。
【０００８】
一実施例において、全ての工程は閉システムで行われ、容器を開封することも、容器の内容物を周囲空気に触れさせる他のいかなる行為も行われることがない。この実施例において、第２容器を第１容器に接続する前に、（少量のろ過された空気を吸入することを可能にする）換気システムを任意に第１容器に挿入してもよい。
【０００９】
他の実施例において、第１容器を、血液を分画に分離した後且つ抽出装置を導入する前に、開封してもよい。それによって、隔壁を有するキャップを穿通させる必要がなくなるため、第２容器の接続並びに血漿及び／又は他の分画の移送を簡略化できる。例えば、本方法を、手術室のような滅菌環境下の層流室内で行った場合、第２容器への移送前に第１容器を開封するときの合成物のバクテリア汚染の可能性に関して、本発明は同等に安全である。更に、多くの場合、最終合成物は開環境下（例えば、口腔内手術や皮膚潰瘍の治療）で適用されるため、本発明を滅菌環境下で行う必要もない。
【発明の効果】
【００１０】
本発明の手順は、従来の手続に比べて、数多くの興味深い側面及び利点を提供する。
【００１１】
第１に、本発明の方法は、血漿分画の全体又は様々な分画の全体を自動的に又は強制的に抽出することを含まない。その代わり、本発明の方法では、用途に応じて第１容器から必要量の血漿及び／又は他の分画を、滅菌条件下で抽出することができる。言い換えれば、最終生成物の所望の特性に応じて、必要量の血漿を抽出することが可能である。すでに述べたように、単一の血液サンプル（単一の第１容器）から、異なる医療用途のために異なる合成物を含む幾つかの第２容器を得ることも可能である。従って、本方法によって、血小板の投与量を、抽出された分画の、任意の他の必要な生物学的特性によって個々人に合わせることが可能となる。これは、最終合成物が設計される医療用途に合わせて該最終合成物を調整（オーダーメイド）することが可能であるということを意味する。
【００１２】
第２に、第２容器に残された生成物は、密封・滅菌容器に保管されるため、後に続く処理、例えば、更なる取扱（例えば、活性化剤を添加したり、一定時間待機したり、ある温度に晒したり、更に遠心分離にかけたり等）や他の物質又は生成物の湿潤、貯蔵、冷凍等をすぐに行うことができる。
【００１３】
本発明の方法に従って製造された合成物は、骨再生や変性関節疾患の治療といった様々な用途に使用することができる。
【００１４】
本発明の詳細は、添付の非限定の図面から知ることができる。
【図面の簡単な説明】
【００１５】
【図１】本発明に係る抽出装置の実施例を、組立てた状態で示す概略図を示す。
【図２】本発明に係る抽出装置の実施例を、分解した状態で示す概略図を示す。
【図３】図１に示す実施例に含まれるケーシングの全体斜視図を示す。
【図４】図１に示す実施例に含まれるケーシングの一部斜視図を示す。
【発明を実施するための形態】
【００１６】
本発明は、血液から少なくとも１種類の合成物を調製する方法であって、以下の、
ｉ）一定量の血液を、真空密封された、言い換えれば、大気圧未満の圧力の第１容器に供給する工程と、
ｉｉ）該血液を少なくとも、第１容器の底部分の赤血球の分画、該赤血球の分画の上方の白血球及び血小板を含む小分画、及びその上の、第１容器の上部に近づくにつれて低下する血小板濃度勾配を有する血漿の分画（血漿は、遠心分離条件によって、血小板を最上位部分に含まないこともあり得る）に分離する工程と、
ｉｉｉ）抽出装置（カテーテル、針、又は同様の装置）を、第１容器に含まれる最も高い位置の分画の略最上位まで挿入する工程と、
ｉｖ）第１容器の圧力よりも低い圧力で真空密封された第２容器を抽出装置に接続する工程、必要量の血漿分画、白血球及び血小板の分画、並びに／又は赤血球の分画が圧力差により第２容器に移送されるまで、一定時間待つ工程、第２容器を取り外す工程、及び、更に抽出を行う場合には、抽出装置が再び残りの分画の最上位に到達するように抽出装置を挿入する度合いを調節する工程を少なくとも１回行う工程と
を含む方法を定義する。
【００１７】
その結果、本発明によって、第１容器の様々な分画のうちの一部（上記濃度勾配を有する血漿、及び／又は他の分画）を選択的に得ることが可能になる。
【００１８】
本発明の第１工程、特に、本発明の出発点として一定量の血液が供給される第１容器に関しては、該第１容器は、一連の特定の特徴を示す。
【００１９】
一実施例において、第１容器は密封され、如何なる時も開封されることはなく、それによって、ろ過されていない周囲空気に血液やその後得られる他の合成物が触れることのない閉システム、言い換えれば閉回路が形成され、それによって取扱によるバクテリア汚染のリスクを低減し、滅菌性を確保するとともに結果得られる最終生成物の生物学的安定性（バイオスタビリティ）及び生物学的安全性（バイオセキュリティ）を維持する。本実施例において、任意に、第１容器に換気システムを導入してもよく、これによって該容器へのろ過空気を送入することができる。また、抽出装置には、好ましくは、回路が密封された状態を保つための隔壁が設けられる。
【００２０】
他の実施例において、第１容器を、血液を分画に分離した後且つ抽出装置を導入する前に、開封する。
【００２１】
第１容器は、一般的にプラスチック又はガラスからなり、ネジ山が設けられた又は加圧されたキャップで封止されるか蓋がされる。該キャップは、抽出装置との密封状態での接続ができるように穿通可能としてもよい。また、第１容器は、好ましくは、４ｍ〜５０ｍの容量を有する円筒状チューブである。
【００２２】
当該第１容器は、任意に、手順の結果得られる合成物のその後の使用に応じて、少なくとも１種類の抗凝固剤を含んでいてもよい。クエン酸ナトリウムが、血流にも見られるとともに２価のカルシウム陽イオンに対するキレート剤（Ｃａ２＋）として働く天然化合物ため、抗凝固剤として一般的に使用される。しかしながら、２価のカルシウムイオン（Ｃａ２＋）に対する特異性はより低いものの、人工の抗凝固剤であるＥＤＴＡといった他の抗凝固剤も考慮に入れている。
【００２３】
第１容器の例
本出願人によって市販されているＴＥ５又はＴＥ９  ＰＲＧＦ（登録商標）コレクション・チューブ（採取管）が、本発明で使用することができる第１容器の２つの例である。両方とも、本体と、穿通可能なキャップとを備える滅菌プラスチックチューブであり、容積はそれぞれ５ｍｌと９ｍｌである。どちらのチューブを使用するかは、特定の医療用途の要件によって決められ、両方ともラベルが貼られている。該ラベルは、容積を示しチューブの底部分に向かって増加する目盛りを備える。これらのチューブは、抗凝固剤として３．８％濃度のクエン酸ナトリウムを含み、よって以下のような特徴を示す。
ＴＥ５チューブ
容量：５ｍｌ
真空容積（圧力）：４．５ｍｌ
クエン酸ナトリウムの容積：０．５ｍｌ
サイズ：１３ｍｍ×７５ｍｍ
ＴＥ９チューブ
容量：９ｍｌ
真空容積（圧力）：８．１ｍｌ
クエン酸ナトリウムの容積：０．９ｍｌ
サイズ：１６ｍｍ×１００ｍｍ
【００２４】
本発明の第２の工程は、血液を異なる分画に分離することを含む。これは、好ましくは、第１容器を（特定の遠心分離速度で一定時間）遠心分離にかけることによって、又はチューブをラックに載置し分画が沈降により分離するのを待つことによって行われる。
【００２５】
第１容器を遠心分離にかける際、当該遠心分離は一連の特定の特徴を示す。第１容器は、好ましくは、１００〜９００Ｇの速度で、３〜１２分間、周囲温度又はそれ以外の温度で（つまり、任意の温度で）遠心分離にかける。これらの範囲内でも、３００〜８００Ｇの速度で５〜９分間遠心分離を行うと特に有利である。これらの遠心分離のパラメータの範囲によって、種々の分画（様々な血小板濃度の血漿、血小板と白血球、赤血球、及びその他任意のもの）をより明確に分離することができる。
【００２６】
換気システムを第１容器に挿入する工程は任意である。挿入しない場合、診療所スタッフが第２容器を取り外すまで、又は第１及び第２容器の圧力レベルが等しくなるまで（第２容器の圧力に依る）、血漿及び／又は他の分画が移送される。しかしながら、換気システムを挿入すると、それによって、密封された第１容器にろ過された空気を送入することが可能になり、その結果、第１容器の圧力が、第２容器の圧力よりも常に高くなる。その結果、抽出は、診療所スタッフが第２容器を取り外した時、抽出装置を最上位よりも上方に移動させた時、又は勿論、第１容器の全ての内容物が第２容器に移送された時にのみ終了する。
【００２７】
抽出装置の挿入、第２容器の接続、血漿又は他の分画の一部の第２容器への抽出、及び第２容器の取り外しに関連する、本方法に含まれる工程に関して、当該工程及び第２容器は一連の特定の特徴を示す。
【００２８】
抽出装置は、第１容器に含まれる最も高い位置の分画の略最上位まで挿入する。一連の第２容器への異なる分画の抽出を連続して又は順々に行う場合、当該抽出では、残りの液体の最上部の吸引が常に行われる。言い換えれば、抽出装置の挿入は、吸引中液体の液位が低下する間、液体の最上位に常に調節される。その結果、ある特定の医療用途において、例えば、血漿の底部分（血小板の濃度が最も高い部分）を抽出する必要がある場合には、まずその必要な部分の上方に位置する血漿を１回の又は様々な工程で抽出する（この血漿は、低濃度の血小板を含むが、廃棄してもよいし、他の医療用途に使用してもよい）。
【００２９】
本発明は、どの分画を又はどの組み合わせの分画を抽出するかということに関して、数え切れないほどの可能性を提供する。血漿のみ（様々な濃度の血小板を含む、若しくは遠心分離を高速で行った場合には全く血小板を含まない、分画の全て若しくは一部）、血小板と白血球のみ（分画の全て若しくは一部）、赤血球のみ（分画の全て若しくは一部）、白血球（分画の全て若しくは一部）と共に血漿（分画の全て若しくは一部）、白血球の分画の全体及び赤血球の分画の一部若しくは全てと共に血漿（分画の全て若しくは一部）、又は赤血球の分画の一部若しくは全てと共に白血球の分画の一部若しくは全て、を抽出できる。
【００３０】
また、第２容器は、少なくとも手順の終了まで密封されたまま開封されることがない。それによって、（第１容器の場合と同様に）血漿及び他の合成物が空気に触れない閉システム、言い換えれば閉回路が形成される。一般的に、第２容器は、ネジ山が設けられた又は加圧されたキャップで密封されるか蓋がされる。該キャップは、穿通可能である。第２容器は、好ましくは、４ｍｌ〜５０ｍｌの容量を有する円筒状チューブである。
【００３１】
第２容器は、任意に、最終合成物がそのために設計される特定の医療用途の要件に応じて、少なくとも１種類の凝固剤やプロコアグラント、又は血小板活性化剤を含んでもよい。一般的に、濃度１０％の塩化ナトリウムが凝固剤として使用されるが、ウシトロンビンやヒトトロンビン等の他の凝固剤も考慮に入れている。本発明は、凝固を助ける特別な不活性添加剤（シリカ等）といった凝固促進剤の第２容器における使用や、第２容器が凝固促進材料（ガラス）からなる場合も考慮に入れている。本発明は、第２容器に含まれる合成物がそのために設計される医療用途に必要な他の生体材料や薬剤を第２容器に含めうることも考慮に入れている。
【００３２】
凝固剤やプロコアグラント、活性化剤、又は他の生体材料は、第１容器からの移送前（例えば、第２容器の製造時）又は一旦移送が完了してから、第２容器に加えることができる。
【００３３】
一般的に、第２容器は、プラスチック又はガラスからなる。プラスチックは、凝固プロセスを遅らせるその能力により、ある用途において有用であり、その効果は、凝固剤を含まないプラスチック製の第２容器を使用する場合さらに顕著である。
【００３４】
第２容器の例
本出願人によって市販されているＴＦ５−ＥＳＴ又はＴＦ９−ＥＳＴ  ＰＲＧＦ（登録商標）プラズマ・フラクション・チューブ（血漿分画管）が、本発明で使用することができる第２容器の２つの例である。両方とも、本体と、穿通可能なキャップとを備える滅菌プラスチックチューブであり、容積はそれぞれ５ｍｌと９ｍｌである。どちらのチューブを使用するかは、特定の医療用途の要件によって決められ、両方ともラベルが貼られている。該ラベルは、容積を示しチューブの上部に向かって増加する目盛りを備える。これらのチューブは、異なる負圧を有し、技術的要件に応じて異なる圧力で製造される。
【００３５】
もう一つ、本発明は、ある特定の用途において第２容器内の少なくとも１種類の分画から必要な量を分離するために一度のみ抽出を行ってもよいことを考慮に入れている。本発明はまた、異なる用途のために異なる第２容器内の（異なる濃度の血小板を含む、又は血小板を含まない）血漿の異なる部分又は他の分画を分離するために、この工程を複数回繰り返してもよいことも考慮に入れている。例えば、低濃度の血小板を含む又は血小板を含まない血漿の一部（チューブ内の上部の分画の最上位部分）を、ある用途のために抽出し、その後の段階で、より濃度の高い血小板を含む（より下方、白血球の分画の近くに位置する）血漿の一部を、細胞シグナルを豊富に含む最終生成物を必要とする他の特定の用途のために抽出することによって、血漿分画の血小板の濃度勾配を利用してもよい。本発明の抽出プロセスの背後にある概念を説明するための手順例を以下に示す。
【００３６】
手順例１
血液を、抗凝固剤を含まないプラスチックからなる第１容器に供給する（抗凝固剤を使用しないということは、後の段階で凝固剤・活性化剤を使用する必要がないということを意味する）。続いて遠心分離を行って、血漿分画の全体を、ガラスからなる第２容器に、又は凝固促進剤を含むプラスチックからなる第２容器に抽出し、それによって、血餅退縮が起こる。最終合成物は、半固体粘稠度を有し、そのため、抜歯後の歯槽治療等のために、口腔内又は顎顔面手術における縫合閉鎖前に粒子状の移植骨を安定化する等といった用途におけるフィブリン・キャップ又は膜として使用することができる。
【００３７】
手順例２
血液を、抗凝固剤を含まないプラスチックからなる第１容器に供給する（抗凝固剤を使用しないということは、後の段階で凝固剤・活性化剤を使用する必要がないということを意味する）。続いて遠心分離を行って、血漿分画の全体を、凝固促進剤を含まないプラスチックからなる第２容器に抽出し、それによって、血漿の凝固を遅らせる。従って、最終合成物は液体粘稠度を有し、関節組織再生や皮内若しくは筋肉内注射における湿潤といった用途に、又は生体材料として加えて該生体材料を凝固させるため等に使用することができる。
【００３８】
手順例３
血液を、抗凝固剤を含むプラスチックからなる第１容器に供給する（これによって凝固を遅らせる、又は阻止する）。続いて遠心分離を行って、
−第１に、血漿の最上部（言い換えれば、低濃度の血小板を含む又は血小板を含まない血漿）を一定量、塩化ナトリウム（凝固剤・活性化剤）を含むガラスからなる第２容器に抽出する。半固体合成物が形成され、手順例１で述べたような用途におけるフィブリン・キャップとして使用することができる。
−第２に、第１容器内の残りの血漿の最上部（言い換えれば、前に抽出した血漿と比べてより高い濃度の血小板を含む血漿）を、塩化ナトリウム（凝固剤・活性化剤）を含むプラスチックからなる別の第２容器に抽出する。塩化ナトリウムは、後の段階で加えてもよい。液体合成物が形成され、皮膚の若しくは関節の湿潤又は他の使用のために、骨を再生させる身体領域において（本発明において使用される血液を採取しうる）患者からの自己の粒子状骨と混合するといった用途に使用することができる。
【００３９】
手順例４
血液を、プラスチックからなり抗凝固剤を含む第１容器に供給する。続いて遠心分離を行って、血漿分画全体を、凝固剤・活性化剤を含むプラスチックの第２容器に抽出する。この薬剤は、後の段階で加えてもよい。最終合成物は、液体粘稠度を有し、関節組織の湿潤や、皮内若しくは筋肉内湿潤等といった用途に使用することができる。
【００４０】
手順例５
血液を、抗凝固剤を含まないプラスチックからなる第１容器に供給する（抗凝固剤を使用しないということは、後の段階で凝固剤・活性化剤を使用する必要がないということを意味する）。続いて遠心分離を行って、第１容器を開けて、血漿分画全体を、ガラスからなる第２容器に、又は凝固促進剤を含むプラスチックからなる第２容器に抽出し、それによって、血餅退縮が起こる。最終合成物は、半固体粘稠度を有し、そのため、抜歯後の歯槽治療等のために、口腔内又は顎顔面手術における縫合閉鎖前に粒子状の移植骨を安定化する等といった用途におけるフィブリン・キャップ又は膜として使用することができる。
【００４１】
本発明の他の目的は、第１容器から第２容器に材料を抽出するための抽出装置を提供することである。図１及び２は、本発明の抽出装置の実施例を、それぞれ組立てた状態及び分解した状態で示す概略図を示す。本抽出装置は主に、本方法に従って第１容器に挿入される第１針（２）と、本方法に従って第２容器に挿入される第２針（４）と、使用者によって操作されて第１針（２）から第２針（４）への材料の通路を開閉する手段とを備える。一般的に、本方法を密封環境下で、言い換えれば、密封された第１容器を用いて行う場合、第１針（２）には面取りされた先端が設けられる（これによって、面取りされた先端を第１容器のキャップに穿通させることができる）。しかしながら、本方法を（第１容器を一旦遠心分離にかけた後開封することによる）開環境下で行う場合には、第１針（２）は、面取りされた先端を有する必要はない。好ましくは、第１針（２）から第２針（４）への材料の通路を開閉する手段は、本装置の容易かつ効率的な使用を可能にする、図に示すような、ボタン（３ａ）が設けられた切替ユニット（３）である。
【００４２】
図示の実施例において、該システムは、第２針（４）の雄型連結手段を切替ユニット（３）の雄型連結手段に適応させるためのコネクタ（６）を備える。このコネクタ（６）は、勿論必ずしも必要というわけではない。
【００４３】
好ましくは、本装置は、第１針（２）が突出するケーシング（１）も備える。ケーシング（１）によって、第１針（２）から第２針（４）への材料の通路を開閉する手段を操作することができる。図示の実施例において、例えば、切替ユニット（３）のボタン（３ａ）は、ケーシング（１）から突出し、装置の使用者が容易に操作することができる。
【００４４】
好ましくは、ケーシング（１）は、本方法に従って第２容器（の全体又は一部）を受容するための収容領域（５）も備える。該収容領域（５）は、図１に示すケーシング（１）の一部斜視図を示す図４にも示されている。図３は、ケーシング（１）の全体斜視図を示し、ここでは、切替ユニット（３）のボタン（３ａ）が突出する孔（７）、及び第１針（２）が突出する孔（８）が示されている。
【００４５】
ケーシング（１）は、換気システムと、該換気システムを第１容器に案内するための手段とを挿入できるようにする孔を備えていてもよい。換気システムは、少量のろ過された空気を吸入することを可能にし、第１容器及び第２容器の圧力が互いに等しくなることによって材料の通過が阻害されてはいけない場合において、密封された第１容器を用いて本発明の手順を実行するときに有用である。
【００４６】
図示のシステムは、以下のように使用される。第２容器を収容領域（５）に挿入し、十分な圧力をそれにかけることによって、第２針（４）を該第２容器のキャップに穿通させることができる。そして、第１針（２）を第１容器（開又は閉）に挿入する。そして、切替ユニット（３）のボタン（３ａ）を押し、圧力差によって（本発明の手順に係る）材料を第１容器から第２容器に移送する。
【００４７】
血液から少なくとも１種類の合成物を調製する方法において、以下の、
ｉ）血液を、大気圧未満の圧力の第１密封容器に供給する工程と、
ｉｉ）血液を少なくとも、第１容器の底部分の赤血球の分画、赤血球の分画の上方の白血球及び血小板の分画、及びその上の、第１容器の上部に近づくにつれて低下する血小板濃度勾配を有する血漿分画に分離する工程と、
ｉｉｉ）抽出装置を、第１容器に含まれる最も高い位置の分画の略最上位まで挿入する工程と、
ｉｖ）真空密封され、第１容器の圧力よりも低い圧力を有する第２容器を抽出装置に接続する工程、必要量の血漿、白血球及び血小板、並びに／又は赤血球が圧力差により第２容器に移送されるまで一定時間待つ工程、第２容器を取り外す工程、及び、更に抽出を行う場合には、抽出装置が再び残りの分画の最上位に到達するように抽出装置が導入される度合いを調節する工程を少なくとも１回行う工程と
を含む。
【００４８】
血液から少なくとも１種類の合成物を調製する方法において、第１容器を、血液を分画に分離した後且つ抽出装置を導入する前に、開封する。
【００４９】
血液から少なくとも１種類の合成物を調製する方法において、全ての工程を、閉システムに従って行う。
【００５０】
血液から少なくとも１種類の合成物を調製する方法において、抽出装置と一緒に、換気システムを第１容器に導入して、ろ過された空気を容器に吸入することを可能にするとともに、第１容器の圧力が前記第２容器の圧力よりも常に高くなることを確実にする。
【００５１】
血液から少なくとも１種類の合成物を調製する方法において、抽出装置が、回路が密封された状態を保つための隔壁を備える。
【００５２】
血液から少なくとも１種類の合成物を調製する方法において、第１容器は、少なくとも１種類の抗凝固剤を含む。
【００５３】
血液から少なくとも１種類の合成物を調製する方法において、第１容器は、抗凝固剤を含まない。
【００５４】
血液から少なくとも１種類の合成物を調製する方法において、第２容器は、第１容器からの移送前から、又は、後の段階で加えられる、少なくとも１種類の凝固剤、プロコアグラント、活性化剤、又は任意の他の生体材料若しくは薬剤を含む。
【００５５】
血液から少なくとも１種類の合成物を調製する方法において、第２容器は、少なくとも１種類の凝固促進剤を含む。
【００５６】
血液から少なくとも１種類の合成物を調製する方法において、沈降によって、血液を分画に分離する。
【００５７】
血液から少なくとも１種類の合成物を調製する方法において、第１容器を遠心分離にかけることによって、血液を分画に分離する。
【００５８】
血液から少なくとも１種類の合成物を調製する方法において、第１容器を、１００〜９００Ｇの遠心分離速度で、３〜１２分間、遠心分離にかける。
【００５９】
血液から少なくとも１種類の合成物を調製する方法において、第１容器を、３００〜８００Ｇの遠心分離速度で、５〜９分間、遠心分離にかける。
【００６０】
上記方法を実施するための手持ち式の抽出装置は、ケーシング（１）、第１針（２）、第２針（４）、切替ユニット（３）、ボタン（３ａ）を備え、第１針（２）と第２針（４）が選択的に流体連通になるように配置され、切替ユニット（３）が第１針（２）と第２針（４）の間の流体連通を開閉し、ボタン（３ａ）が切替ユニット（３）を操作する。
【００６１】
手持ち式の抽出装置において、ケーシング（１）は、上記方法に従って第２容器を受容するように設計された収容領域（５）を備える。
【００６２】
手持ち式の抽出装置において、第２針（４）が、収容領域（５）に突出する。
【００６３】
手持ち式の抽出装置は、換気システムと、換気システムを第１容器に案内するための手段とを挿入できるようにする孔を備える。
【図１】
2015186646.tif 000003
【図２】
2015186646.tif 000004
【図３】
2015186646.tif 000005
【図４】
2015186646.tif 000006